(57)【要約】【課題】固定のメニュー画面とは別に頻繁に使用する機能のメニューをショートカットメニュー画面で表示させることが可能な情報記録再生装置を提供する。【解決手段】メニューキーが押下されると、このメニューキーの１回目の押下に応答してメニュー画面表示手段は、フラッシュＲＯＭからメニュー画面データを読み出してディスプレイ装置に固定のメニュー画面を表示させる。そして、再びメニューキーが押下されると、この２回目のメニューキーの押下に応答してショートカットメニュー画面表示手段は、フラッシュＲＯＭからショートカットメニュー画面データを読み出してディスプレイ装置にショートカットメニュー画面を表示させる。これにより、ユーザは、頻繁に使用する機能のメニューを選択する際、メニューの深い階層を辿る手間が省け、頻繁に使用する機能のうち、所望の機能を手軽に選択することができ、使い勝手が向上する。【選択図】図３
2008203910.tif 000002
【特許請求の範囲】
【請求項１】
記録媒体に情報を記録したり、記録媒体に記録された情報を再生したりする情報記録再生装置において、
複数のメニューを示す固定のメニュー画面データを予め記憶したメモリを備えると共に、
１回目のメニューキーの押下に応答して前記メモリから固定のメニュー画面データを読み出してディスプレイ装置に固定のメニュー画面を表示させるメニュー画面表示手段と、
前記固定のメニュー画面から選択されたメニューの深い階層の所望のメニューをショートカットメニュー画面データとして前記メモリに登録するショートカットメニュー画面データ登録手段と、
２回目のメニューキーの押下に応答して前記メモリからショートカットメニュー画面データを読み出してディスプレイ装置にショートカットメニュー画面を表示させるショートカットメニュー画面表示手段と、を有するシステムコントローラを備えたことを特徴とする情報記録再生装置。
【請求項２】
記録媒体に情報を記録したり、記録媒体に記録された情報を再生したりする情報記録再生装置において、
複数のメニューを示す固定のメニュー画面データを予め記憶したメモリを備えると共に、
１回目のメニューキーの押下に応答してディスプレイ装置に前記固定のメニュー画面データに基づいて固定のメニュー画面を表示させ、前記固定のメニュー画面から選択されたメニューの深い階層の所望のメニューをショートカットメニュー画面データとして前記メモリに登録し、２回目のメニューキーの押下に応答してディスプレイ装置に前記ショートカットメニュー画面データに基づいてショートカットメニュー画面を表示させる制御を行うシステムコントローラを備えたことを特徴とする情報記録再生装置。
【請求項３】
前記システムコントローラは、１回目のメニューキーの押下に応答して前記メモリから固定のメニュー画面データを読み出してディスプレイ装置に固定のメニュー画面を表示させるメニュー画面表示手段と、前記固定のメニュー画面から選択されたメニューの深い階層の所望のメニューをショートカットメニュー画面データとして前記メモリに登録するショートカットメニュー画面データ登録手段と、２回目のメニューキーの押下に応答して前記メモリからショートカットメニュー画面データを読み出してディスプレイ装置にショートカットメニュー画面を表示させるショートカットメニュー画面表示手段とを有することを特徴とする請求項２に記載の情報記録再生装置。
【発明の詳細な説明】
【技術分野】
【０００１】
本発明は、記録媒体に情報を記録したり、記録媒体に記録された情報を再生したりする情報記録再生装置に関し、特に、各種機能を示すメニューを選択する際にディスプレイ装置に表示するメニュー表示機能に関する。
【背景技術】
【０００２】
ハードディスクや光ディスクなどの記録媒体に圧縮して画像データや音声データを記録したり、記録媒体に記録された画像データや音声データを再生したりする情報記録再生装置として、ハードディスク装置（ハードディスクレコーダ）や光ディスク装置（ＤＶＤレコーダ）などが普及している。また、光ディスクに記録された情報を再生するだけの光ディスク装置としてＤＶＤプレイヤも普及している。ＤＶＤプレイヤは再生のみ行うが、このＤＶＤプレイヤも情報記録再生装置に含めて述べることにする。
【０００３】
さて、それらの情報記録再生装置においては、一般的に内部にＯＳＤ（オン・スクリーン・ディスプレイ）部を備え、このＯＳＤ部によりディスプレイ装置に表示される予め用意された固定のメニュー画面により、ユーザは記録媒体に記録された画像データや音声データから再生したいデータを選択したり、装置の機能を選択したりすることが可能になる。
【０００４】
図６は従来の情報記録再生装置によりディスプレイ装置に表示される固定のメニュー画面の一例を示す画面図である。図６において、ディスプレイ装置に表示されるメニュー画面６１には、ｍｅｎｕ１、ｍｅｎｕ２、ｍｅｎｕ３、ｍｅｎｕ４などのメニューが表示されている。例えば、ｍｅｎｕ１としては「ディスク操作」、ｍｅｎｕ２としては「画質設定」、ｍｅｎｕ３としては「音声選択」、ｍｅｎｕ４としては「画像サイズ選択」が、表示されている。そして、例えば、メニュー「ディスク操作」に対する１段階深い階層のメニューは、「データ管理」であることを示し、更に、メニュー「データ管理」に対する１段階深い階層のメニュー（メニュー「ディスク操作」に対しては２段階深い階層のメニュー）は、「イレース」、「ファイナライズ」、「フォーマット」、「チャプタ設定」などであることを示す。
【０００５】
図７は従来の情報記録再生装置において固定のメニュー画面を表示させてからメニューに対する処理を実行させるまでの動作を説明するためのフローチャートである。このフローチャートおよび図６を参照して固定のメニュー画面を表示させてからメニューに対する処理を実行させるまでの動作について説明する。
【０００６】
先ず、ユーザは、固定のメニュー画面をテレビジョン受像機などのディスプレイ装置に表示させるため、リモコンのメニューキーを押下すると、装置内のシステムコントローラは、メニューキーが押下されたことを検知し（ステップＴ１）、フラッシュＲＯＭからメニュー画面データを読み出して、ＯＳＤ部でＯＳＤ処理し、更に映像出力部で映像信号に変換してディスプレイ装置に供給することにより、ディスプレイ装置に固定のメニュー画面６１を表示させる（ステップＴ２）。但し、このときのメニュー画面６１には、深い階層のメニューを除く、ｍｅｎｕ１、ｍｅｎｕ２、ｍｅｎｕ３、ｍｅｎｕ４などのメニューが表示される。
【０００７】
そして、前記のように固定のメニュー画面６１が表示された後、ユーザは、メニュー画面６１から機能を実行させたいメニューを選択するため、リモコンを操作すると、システムコントローラは、メニュー画面６１の所望のメニューが選択されたことを検知し（ステップＴ３）、選択されたメニューの下の階層のメニューをメニュー画面６１に表示させる（ステップＴ４）。例えば、メニュー画面６１において、メニュー「ディスク操作」が選択された場合は、メニュー「データ管理」などの複数のメニュー（図７では４個のメニュー）が表示される。
【０００８】
更に、前記４個のメニューのうち、例えばメニュー「データ管理」がリモコンの操作により選択されると、システムコントローラは、メニュー「データ管理」が選択されたことを検知し（ステップＴ５）、選択されたメニューの下の階層のメニュー、例えば、「イレース」、「ファイナライズ」、「フォーマット」、「チャプタ設定」などを表示させる（ステップＴ６）。
【０００９】
ここで、ユーザが、メニュー画面６１においてメニュー「イレース」、メニュー「ファイナライズ」、メニュー「フォーマット」、メニュー「チャプタ設定」をショートカットメニューのうち、リモコンの操作により、メニュー「ファイナライズ」を選択したとすると、システムコントローラは、メニュー「ファイナライズ」が選択されたことを検知する（ステップＴ７）。そして、ユーザは、リモコンを操作してファイナライズを実行させる指示をシステムコントローラに与えると、システムコントローラは、ファイナライズの実行指示がされたことを検知し（ステップＴ８）、選択されたメニューに対する処理、この場合、ファイナライズを実行する（ステップＴ９）。
【特許文献１】特開２００３−６９９３３号公報
【発明の開示】
【発明が解決しようとする課題】
【００１０】
しかしながら、従来の情報記録再生装置では、頻繁に使用する機能のメニューを選択する場合であっても、固定のメニュー画面を表示させ、このメニュー画面を使用して深い階層を辿って目的とするメニューを選択する必要があるので、ユーザにとっては、キー操作の回数も多くて、煩わしと言う課題が生じる。
【００１１】
なお、特許文献１の従来技術では、情報提供センターのＷｅｂサイトに複数用意された別のメニュー画面を表示するための表示用データを取得し、使用者に合わせたメニュー画面構成に変更して表示することにより、人の好みの幅を広げることができ、更に使用者のレベルに合わせたメニュー画面構成に変更して表示することにより、機器の操作性を向上させることができるようにしているが、ショートカットメニュー画面を表示させて、所望のメニューを選択するための操作回数を減らすものではない。
【００１２】
本発明は、上記のような課題を解決するためになされたもので、既存の固定のメニュー画面とは別に、頻繁に使用する機能のメニューをショートカットメニュー画面で表示させることが可能な情報記録再生装置を提供することを目的とする。
【課題を解決するための手段】
【００１３】
上記目的を達成するために、請求項１の発明は、複数のメニューを示す固定のメニュー画面データを予め記憶したメモリを備えると共に、１回目のメニューキーの押下に応答して前記メモリから固定のメニュー画面データを読み出してディスプレイ装置に固定のメニュー画面を表示させるメニュー画面表示手段と、前記固定のメニュー画面から選択されたメニューの深い階層の所望のメニューをショートカットメニュー画面データとして前記メモリに登録するショートカットメニュー画面データ登録手段と、２回目のメニューキーの押下に応答して前記メモリからショートカットメニュー画面データを読み出してディスプレイ装置にショートカットメニュー画面を表示させるショートカットメニュー画面表示手段とを有するシステムコントローラを備えたことを特徴とする情報記録再生装置を提供する。
【００１４】
この構成において、メニューキーが押下されると、このメニューキーの１回目の押下に応答して、メニュー画面表示手段は、メモリからメニュー画面データを読み出して、ディスプレイ装置に固定のメニュー画面を表示させる。そして、再びメニューキーが押下されると、この２回目のメニューキーの押下に応答して、ショートカットメニュー画面表示手段は、メモリからショートカットメニュー画面データを読み出してディスプレイ装置にショートカットメニュー画面を表示させる。
【００１５】
この構成によれば、既存の固定のメニュー画面とは別に、頻繁に使用する機能のメニューをショートカットメニュー画面で表示させることができるので、ユーザは、頻繁に使用する機能のメニューを選択する際、メニューの深い階層を辿る手間が省け、頻繁に使用する機能のうち、所望の機能を手軽に選択することができ、使い勝手が向上する。
【００１６】
請求項２の発明は、複数のメニューを示す固定のメニュー画面データを予め記憶したメモリを備えると共に、１回目のメニューキーの押下に応答してディスプレイ装置に前記固定のメニュー画面データに基づいて固定のメニュー画面を表示させ、前記固定のメニュー画面から選択されたメニューの深い階層の所望のメニューをショートカットメニュー画面データとして前記メモリに登録し、２回目のメニューキーの押下に応答してディスプレイ装置に前記ショートカットメニュー画面データに基づいてショートカットメニュー画面を表示させる制御を行うシステムコントローラを備えたことを特徴とする情報記録再生装置を提供する。
【００１７】
この構成において、メニューキーが押下されると、このメニューキーの１回目の押下に応答して、ディスプレイ装置に固定のメニュー画面が表示される。そして、再びメニューキーが押下されると、この２回目のメニューキーの押下に応答して、ディスプレイ装置にショートカットメニュー画面が表示される。
【００１８】
この構成によれば、既存の固定のメニュー画面とは別に、頻繁に使用する機能のメニューをショートカットメニュー画面で表示させることができるので、ユーザは、頻繁に使用する機能のメニューを選択する際、メニューの深い階層を辿る手間が省け、頻繁に使用する機能のうち、所望の機能を手軽に選択することができ、使い勝手が向上する。
【００１９】
請求項３の発明では、請求項２の発明において、前記システムコントローラは、１回目のメニューキーの押下に応答してメモリから固定のメニュー画面データを読み出してディスプレイ装置に固定のメニュー画面を表示させるメニュー画面表示手段と、前記固定のメニュー画面から選択されたメニューの深い階層の所望のメニューをショートカットメニュー画面データとして前記メモリに登録するショートカットメニュー画面データ登録手段と、２回目のメニューキーの押下に応答して前記メモリからショートカットメニュー画面データを読み出してディスプレイ装置にショートカットメニュー画面を表示させるショートカットメニュー画面表示手段とを有することを特徴とする。
【００２０】
したがって、前記システムコントローラは、メニュー画面表示処理、ショートカットメニュー画面データ登録処理、およびショートカットメニュー画面表示処理を実現でき、これにより、既存の固定のメニュー画面とは別に、頻繁に使用する機能のメニューをショートカットメニュー画面で表示させることが可能になる。
【発明の効果】
【００２１】
以上のように本発明によれば、既存の固定のメニュー画面とは別に、頻繁に使用する機能のメニューをショートカットメニュー画面で表示させることができるので、ユーザは、頻繁に使用する機能のメニューを選択する際、メニューの深い階層を辿る手間が省け、頻繁に使用する機能のうち、所望の機能を手軽に選択することができ、使い勝手が向上する。
【発明を実施するための最良の形態】
【００２２】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置（ハードディスクレコーダ）と光ディスク装置（ＤＶＤレコーダ）とが組み込まれた複合型記録再生装置について説明するが、本実施形態の特徴とするメニュー表示機能は、複合型記録再生装置に限らず、単体のハードディスク装置や光ディスク装置（ＤＶＤレコーダやＤＶＤプレイヤ）に設ければ、同様な効果を得ることができる。ＤＶＤプレイヤは再生のみ行うが、このＤＶＤプレイヤも情報記録再生装置に含めて述べることにする。
【００２３】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共に、システムコントローラ１０の動作に必要なプログラムやデータ、複数のメニューを示す固定のメニュー画面データなどを記憶するフラッシュＲＯＭ６と、システムコントローラ１０の動作に必要なデータを一時的に記憶するＲＡＭ１６とを備えている。
【００２４】
また、この複合型記録再生装置１は、デコーダ５で復号された映像信号をテレビジョン受像機１３のディスプレイ装置１３１で表示可能な映像信号に変換する映像出力部７と、固定のメニュー画面やショートカットメニュー画面などをテレビジョン受像機１３のディスプレイ装置１３１に表示させるためのＯＳＤ処理を行うＯＳＤ部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２５】
システムコントローラ１０は、１回目のメニューキーの押下に応答してフラッシュＲＯＭ６から固定のメニュー画面データを読み出してディスプレイ装置１３１に固定のメニュー画面を表示させるメニュー画面表示手段と、前記固定のメニュー画面から選択されたメニューの深い階層の所望のメニューをショートカットメニュー画面データとしてフラッシュＲＯＭ６に登録するショートカットメニュー画面データ登録手段と、２回目のメニューキーの押下に応答してフラッシュＲＯＭ６からショートカットメニュー画面データを読み出してディスプレイ装置１３１にショートカットメニュー画面を表示させるショートカットメニュー画面表示手段とを有する。
【００２６】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、メニューキー２１７、上方向きー２１８、下方向キー２１９、左方向キー２２０、右方向キー２２１、決定キー２２２、記録キー２２３、一時停止キー２２４、早戻しキー２２５、停止キー２２６、再生キー２２７、早送りキー２２８、スキップキー２２９、ＨＤＤモード切換キー２３０、ＤＶＤモード切換キー２３１、ショートカットメニュー登録キー２３２などが配置されている。なお、ここでのキーの配置および個数は一例であるので、これに限ることはない。
【００２７】
図３は本実施形態において固定のメニュー画面およびショートカットメニュー画面の一例を示す画面図である。図３において、ディスプレイ装置に表示されるメニュー画面３１には、ｍｅｎｕ１、ｍｅｎｕ２、ｍｅｎｕ３、ｍｅｎｕ４などのメニューが表示されている。例えば、ｍｅｎｕ１としては「ディスク操作」、ｍｅｎｕ２としては「画質設定」、ｍｅｎｕ３としては「音声選択」、ｍｅｎｕ４としては「画像サイズ選択」が、表示されている。そして、例えば、メニュー「ディスク操作」に対する１段階深い階層のメニューは、「データ管理」などであることを示し、更に、メニュー「データ管理」に対する１段階深い階層のメニュー（メニュー「ディスク操作」に対しては２段階深い階層のメニュー）は、「イレース」「ファイナライズ」「フォーマット」「チャプタ設定」であることを示す。
【００２８】
なお、１回目のメニューキーの押下時には、ｍｅｎｕ１、ｍｅｎｕ２、ｍｅｎｕ３、ｍｅｎｕ４などのメニューが表示されるが、メニュー画面３１においては、例えば、メニュー「ディスク操作」に対して、１段階深い階層のメニュー「データ管理」、２段階深い階層のメニュー「イレース」「ファイナライズ」「フォーマット」「チャプタ設定」などは表示されない。
【００２９】
次のショートカットメニュー画面３２には、ＭＥＮＵ１、ＭＥＮＵ２、ＭＥＮＵ３、ＭＥＮＵ４、ＭＥＮＵ５、ＭＥＮＵ６、ＭＥＮＵ７、ＭＥＮＵ８、ＭＥＮＵ９などのショートカットメニューが表示されている。例えば、ＭＥＮＵ１としては「イレース」、ＭＥＮＵ２としては「ファイナライズ」、ＭＥＮＵ３としては「フォーマット」、ＭＥＮＵ４としては「チャプタ設定」が表示されている。
【００３０】
したがって、ＭＥＮＵ１としての「イレース」を選択すれば、メニュー画面３１のメニュー「イレース」を選択したのと同等になり、ＭＥＮＵ２としての「ファイナライズ」を選択すれば、メニュー画面３１のメニュー「ファイナライズ」を選択したのと同等になる。また、ＭＥＮＵ３としての「フォーマット」を選択すれば、メニュー画面３１のメニュー「フォーマット」を選択したのと同等になり、ＭＥＮＵ４としての「チャプタ設定」を選択すれば、メニュー画面３１のメニュー「チャプタ設定」を選択したのと同等になる。このようにショートカットメニュー画面３２に、頻繁に使用する機能のメニューに対応するショートカットメニューを設けることで、頻繁に使用する機能を手軽に選択することが可能になり、メニュー画面３１においてメニューの深い階層を辿る手間が省け、ユーザにとっては使い勝手が良くなる。
【００３１】
図４は本実施形態においてショートカットメニューを登録する処理を説明するためのフローチャートである。このフローチャートおよび図１〜図３を参照してショートカットメニューを登録する処理について説明する。
【００３２】
先ず、固定のメニュー画面をテレビジョン受像機１３のディスプレイ装置１３１に表示させるため、ユーザは、リモコン１１のメニューキー２１７を押下すると、このメニューキー２１７の１回目の押下に応答して、システムコントローラ１０のメニュー画面表示手段は、フラッシュＲＯＭ６からメニュー画面データを読み出して、ＯＳＤ部１２でＯＳＤ処理し、次に映像出力部７で映像信号に変換し、更にテレビジョン受像機１３のディスプレイ装置１３１に、その映像信号を供給することにより、ディスプレイ装置１３１に固定のメニュー画面３１（図３参照）を表示させる（ステップＳ１）。但し、このときのメニュー画面３１には、深い階層のメニューを除く、ｍｅｎｕ１、ｍｅｎｕ２、ｍｅｎｕ３、ｍｅｎｕ４などのメニューが表示される。
【００３３】
前記のように固定のメニュー画面３１が表示された後、ユーザは、メニュー画面３１から機能を実行させたいメニューを選択するため、リモコン１１の上方向キー２１８や下方向キー２１９を操作すると共に決定キー２２２を操作すると、システムコントローラ１０は、メニュー画面３１の所望のメニューが選択されたことを検知し（ステップＳ２）、選択されたメニューの下の階層のメニューをメニュー画面３１に表示させる（ステップＳ３）。例えば、メニュー画面３１において、ｍｅｎｕ１であるメニュー「ディスク操作」が選択された場合は、メニュー「データ管理」などの複数のメニュー（図３では４個のメニュー）が表示される。
【００３４】
更に、前記４個のメニューのうち、例えば、メニュー「データ管理」がリモコン１１の操作により選択されると、システムコントローラ１０は、メニュー「データ管理」が選択されたことを検知し（ステップＳ４）、選択されたメニューの下の階層のメニュー、例えば、「イレース」、「ファイナライズ」、「フォーマット」、「チャプタ設定」を表示させる（ステップＳ５）。
【００３５】
ここで、ユーザが、メニュー「イレース」、メニュー「ファイナライズ」、メニュー「フォーマット」、メニュー「チャプタ設定」をショートカットメニューとして登録したい場合、メニュー「イレース」、メニュー「ファイナライズ」、メニュー「フォーマット」、メニュー「チャプタ設定」を、リモコン１１を操作してショートカットメニューとして登録する。
【００３６】
即ち、メニュー「イレース」をショートカットメニューとして登録する場合、ユーザは、リモコン１１の上方向キー２１８、下方向キー２１９、左方向キー２２０、右方向キー２２１などを操作して、カーソルでメニュー「イレース」を選択して、リモコン１１のショートカットメニュー登録キー２３２を押下する。これにより、システムコントローラ１０のショートカットメニュー画面データ登録手段は、メニュー「イレース」に対するショートカットメニュー登録の指示がされたことを検知し（ステップＳ６）、メニュー「イレース」をショートカットメニューとしてフラッシュＲＯＭ６に登録する（ステップＳ７）。即ち、ショートカットメニュー画面データ登録手段は、固定のメニュー画面３１から選択されたメニュー（例えば、メニュー「ディスク操作」）の深い階層の所望のメニュー（例えば、メニュー「イレース」）をショートカットメニュー画面データとしてフラッシュＲＯＭ６に登録する。また、メニュー「ファイナライズ」、メニュー「フォーマット」、メニュー「チャプタ設定」についても、同様な処理で登録される。
【００３７】
メニュー「イレース」、メニュー「ファイナライズ」、メニュー「フォーマット」、メニュー「チャプタ設定」をショートカットメニューとして登録しない場合は、任意の動作が行われる。即ち、例えば、ユーザが、リモコン１１を操作してメニュー画面３１のメニュー「ファイナライズ」を選択して、それを実行させる操作を行うと、システムコントローラ１０は、選択されたメニュー「ファイナライズ」の実行指示がされたことを検知し（ステップＳ８）、選択されたメニュー「ファイナライズ」に対する処理であるファイナライズを実行する（ステップＳ９）。
【００３８】
図５は本実施形態においてショートカットメニュー画面を表示させてからショートカットメニューに対する処理を実行させるまでの動作を説明するためのフローチャートである。このフローチャートおよび図１〜図３を参照してショートカットメニュー画面を表示させてからショートカットメニューに対する処理を実行させるまでの動作について説明する。
【００３９】
先ず、ユーザは、固定のメニュー画面をテレビジョン受像機１３のディスプレイ装置１３１に表示させるため、ユーザは、リモコン１１のメニューキー２１７を押下すると、システムコントローラ１０は、メニューキー２１７が押下されたことを検知し（ステップＮ１）、メニューキー２１７の１回目の押下に応答して、システムコントローラ１０のメニュー画面表示手段は、フラッシュＲＯＭ６からメニュー画面データを読み出して、ＯＳＤ部１２でＯＳＤ処理し、次に映像出力部７で映像信号に変換し、更にテレビジョン受像機１３のディスプレイ装置１３１に、その映像信号を供給することにより、ディスプレイ装置１３１に固定のメニュー画面３１（図３参照）を表示させる（ステップＮ２）。但し、このときのメニュー画面３１には、深い階層のメニューを除く、ｍｅｎｕ１、ｍｅｎｕ２、ｍｅｎｕ３、ｍｅｎｕ４などのメニューが表示される。
【００４０】
そして、ユーザが再びメニューキー２１７を押下すると、システムコントローラ１０は、再びメニューキー２１７が押下されたことを検知し（ステップＮ３）、この２回目のメニューキー２１７の押下に応答して、システムコントローラ１０のショートカットメニュー画面表示手段は、フラッシュＲＯＭ６からショートカットメニュー画面データを読み出し、ＯＳＤ部１２でＯＳＤ処理し、次に映像出力部７で映像信号に変換し、更にテレビジョン受像機１３のディスプレイ装置１３１に、その映像信号を供給することにより、ディスプレイ装置１３１にショートカットメニュー画面３２を表示させる（ステップＮ４）。
【００４１】
ユーザは、ショートカットメニュー画面３２を見て、リモコン１１の上方向キー２１８、下方向キー２１９、左方向キー２２０、右方向キー２２１などと、決定キー２２２を操作して、所望のショートカットメニューを選択すると、例えば、ＭＥＮＵ２の「ファイナライズ」を選択すると、システムコントローラ１０は、ショートカットメニューの「ファイナライズ」が選択されたことを検知する（ステップＮ５）。
【００４２】
この後、ユーザは、リモコン１１を操作してファイナライズを実行させる指示をシステムコントローラ１０に与えると、システムコントローラ１０は、ファイナライズの実行指示がされたことを検知し（ステップＮ６）、選択されたショートカットメニューに対する処理、この場合、ファイナライズを実行する（ステップＮ７）。
【００４３】
一方、前記のように固定のメニュー画面３１が表示された後、ユーザは、メニュー画面３１から機能を実行させたいメニューを選択するため、リモコン１１の上方向キー２１８や下方向キー２１９を操作すると共に決定キー２２２を操作すると、システムコントローラ１０は、メニュー画面３１の所望のメニューが選択されたことを検知し（ステップＮ８）、選択されたメニューの深い階層（下の階層）のメニューをメニュー画面３１に表示させる（ステップＮ９）。例えば、メニュー画面３１において、メニュー「ディスク操作」が選択された場合は、メニュー「データ管理」などの複数のメニュー（図３では４個のメニュー）が表示される。
【００４４】
更に、前記４個のメニューのうち、例えば、メニュー「データ管理」がリモコン１１の操作により選択されると、システムコントローラ１０は、メニュー「データ管理」が選択されたことを検知し（ステップＮ１０）、選択されたメニューの更に深い階層（下の階層）のメニュー、例えば、「イレース」、「ファイナライズ」、「フォーマット」、「チャプタ設定」を表示させる（ステップＮ１１）。
【００４５】
ここで、ユーザが、メニュー画面３１においてメニュー「イレース」、メニュー「ファイナライズ」、メニュー「フォーマット」、メニュー「チャプタ設定」をショートカットメニューのうち、リモコン１１の操作により、メニュー「ファイナライズ」を選択したとすると、システムコントローラ１０は、メニュー「ファイナライズ」が選択されたことを検知する（ステップＮ１２）。
【００４６】
そして、ユーザは、リモコン１１を操作してファイナライズを実行させる指示をシステムコントローラ１０に与えると、システムコントローラ１０は、ファイナライズの実行指示がされたことを検知し（ステップＮ１３）、選択されたショートカットメニューに対する処理、この場合、ファイナライズを実行する（ステップＮ１４）。
【００４７】
以上説明したように本実施形態によれば、例えば、メニュー「ファイナライズ」を選択するのに、ショートカットメニュー画面３２で選択すると、１回目のメニューキー２１７の押下（ステップＮ１）、２回目のメニューキー２１７の押下（ステップＮ３）、ショートカットメニューの「ファイナライズ」の選択（ステップＮ５）の３ステップでメニュー「ファイナライズ」を選択できる。このように、ユーザは、頻繁に使用する機能のメニューを選択する際、メニューの深い階層を辿る手間が省け、頻繁に使用する機能のうち、所望の機能を手軽に選択することができ、使い勝手が向上する。
【産業上の利用可能性】
【００４８】
本発明は、ハードディスク装置や光ディスク装置などにおけるメニュー表示機能に利用可能であり、ショートカットメニュー画面をディスプレイ装置に表示させることができる。
【図面の簡単な説明】
【００４９】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態において固定のメニュー画面およびショートカットメニュー画面の一例を示す画面図である。
【図４】前記実施形態においてショートカットメニューを登録する処理を説明するためのフローチャートである。
【図５】前記実施形態においてショートカットメニュー画面を表示させてからショートカットメニューに対する処理を実行させるまでの動作を説明するためのフローチャートである。
【図６】従来の情報記録再生装置によりディスプレイ装置に表示される固定のメニュー画面の一例を示す画面図である。
【図７】従来の情報記録再生装置において固定のメニュー画面を表示させてからメニューに対する処理を実行させるまでの動作を説明するためのフローチャートである。
【符号の説明】
【００５０】
１    複合型記録再生装置（情報記録再生装置）
６    フラッシュＲＯＭ（メモリ）
１０    システムコントローラ（メニュー画面表示手段、ショートカットメニュー画面データ登録手段、ショートカットメニュー画面表示手段）
１４    ハードディスク（記録媒体）
１５    ＤＶＤ（記録媒体）
３１    固定のメニュー画面
３２    ショートカットメニュー画面
１３１    ディスプレイ装置
２１７    メニューキー
【図１】
2008203910.tif 000003
【図２】
2008203910.tif 000004
【図３】
2008203910.tif 000005
【図４】
2008203910.tif 000006
【図５】
2008203910.tif 000007
【図６】
2008203910.tif 000008
【図７】
2008203910.tif 000009